(57)【特許請求の範囲】
【請求項１】
庫内を形成する断熱箱体と、この断熱箱体の一内側壁に対し間隔を隔てて設けられて冷却室を形成する仕切体と、上記冷却室内に設置された冷却器と、上記冷却室内で上記冷却器の冷媒入口側領域側、冷媒出口側領域側にそれぞれ設置された第一冷却ファン、第二冷却ファンと、上記仕切体における上記冷却器に対向する位置に設けられた吸込口と、上記仕切体における上記第一冷却ファン、上記第二冷却ファンにそれぞれ対向する位置に設けられた吹出口と、を備えてなる冷凍庫において、
庫内温度が冷凍保存温度に所定温度を加えた温度に至ったら、急速凍結モードに移行し、
庫内温度が急速凍結設定温度に至ったら、冷凍保存モードに移行し、
上記急速凍結モードでは、上記冷却器の冷媒出口側領域側に設置された第二冷却ファンの回転数を強にすると共に、上記冷却器の冷媒入口側領域側に設置された第一冷却ファンの回転数を弱にして運転し、
上記冷凍保存モードでは、上記第一冷却ファンおよび上記第二冷却ファンの回転数を弱にして運転することを特徴とする冷凍庫。
【請求項２】
上記庫内のうち、冷却室における冷却器の冷媒入口側領域側に対応する庫内部分と冷媒出口側領域側に対応する庫内部分とのそれぞれに、庫内温度を検出する温度検出器が設置され、
庫内温度が冷凍保存温度に所定温度を加えた温度より高く、かつ各庫内部分の温度差が予め設定した温度よりも低い場合に、上記冷却器の冷媒出口側領域側に設置された第二冷却ファンの回転数を強にすると共に、上記冷却器の冷媒入口側領域側に設置された第一冷却ファンの回転数を弱にして運転する運転モードを更に備えたことを特徴とする請求項１に記載の冷凍庫。
【請求項３】
上記庫内のうち、冷却室における冷却器の冷媒入口側領域側に対応する庫内部分と冷媒出口側領域側に対応する庫内部分とのそれぞれに、庫内温度を検出する温度検出器が設置され、
庫内温度が冷凍保存温度に所定温度を加えた温度より高く、各庫内部分の温度差が予め設定した温度よりも高い場合に、温度が高い庫内部分に対応する冷却ファンの回転数を強にすると共に、温度が低い庫内部分に対応する冷却ファンの回転数を弱にして運転する運転モードを更に備えたことを特徴とする請求項１に記載の冷凍庫。
【発明の詳細な説明】
【０００１】
【発明の属する技術分野】
本発明は、庫内に冷気を強制循環させて保存物を凍結させる、急速凍結庫等に適用される冷凍庫に関する。
【０００２】
【従来の技術】
従来の冷凍庫は、庫内を形成する断熱箱体と、この断熱箱体の一内側壁に対し間隔を隔てて設けられて冷却室を形成する仕切板と、上記冷却室内に設置された冷却器と、冷却室内で冷却器の冷媒入口側領域側（例えば上側）、冷媒出口側領域側（例えば下側）にそれぞれ設置された庫内上ファン、庫内下ファンと、仕切板における冷却器に対向する位置に設けられた吸込口と、仕切板における庫内上ファン、庫内下ファンにそれぞれ対向する位置に設けられた吹出口とを備え、冷却器にて冷却されて吹出口から吹き出される冷却空気（冷気）により、庫内に収納された保存物を凍結させるものである。
【０００３】
このような冷凍庫では、図７に示すように、庫内に設置された温度センサによる検出温度が(冷凍保存設定温度Ｔ１＋１０℃)以上であるか否かを判定し（Ｓ１００）、以上の時に、庫内上ファン及び庫内下ファンを共に高速回転させて、これらの庫内上ファン及び庫内下ファンからの吹出空気の風速を強とする急速凍結モードを実施する（Ｓ１０１）。上記温度センサによる検出温度が(冷凍保存設定温度Ｔ１＋１０℃)以下である時には、この検出温度が急速凍結設定温度Ｔ２以上であるか否かを判定し（Ｓ１０２）、以上である時に上記急速凍結モードを継続させる（Ｓ１０１）。
【０００４】
上記ステップＳ１０２において、検出温度が急速凍結設定温度Ｔ２未満となった時に、庫内上ファン及び庫内下ファンを共に低速回転させて、これらの庫内上ファン及び庫内下ファンからの吹出空気の風速を弱とする冷凍保存モードを実施する（Ｓ１０３）。この冷凍保存モード中に、庫内温度が(冷凍保存設定温度Ｔ１＋１０℃)以上となったか否かを判定し（１０４）、以上となった時に急速凍結モードを実施する（Ｓ１０１）。
【０００５】
【発明が解決しようとする課題】
ところで、冷却器では、冷媒の入口側領域（例えば上側領域）にて冷却される空気は、冷媒の出口側領域（例えば下側領域）にて冷却される空気よりも低温となるのが一般的である。
【０００６】
このため、上述のように、急速凍結モードを実施するにあたり、庫内上ファンと庫内下ファンを共に高速回転に設定すると、庫内のうち、庫内上部分が例えば−４０℃に、庫内下部分が例えば−３５℃になって、庫内下部分が庫内上部分よりも高温となり、庫内温度が不均一になってしまう。
【０００７】
また、上述のように庫内温度が不均一になる急速凍結モードにおいて、解凍状態の保存物が庫内下部分に収納されると、この保存物の凍結に長時間を要することになる。
【０００８】
本発明は上述の事情を考慮してなされたものであり、請求項１に記載の発明の課題は、庫内を略均一に冷却できる冷凍庫を提供することにあり、請求項２に記載の発明の課題は、庫内における負荷の相違を迅速に解消できる冷凍庫を提供することにある。
【０００９】
【課題を解決するための手段】
請求項１記載の発明は、庫内を形成する断熱箱体と、この断熱箱体の一内側壁に対し間隔を隔てて設けられて冷却室を形成する仕切体と、上記冷却室内に設置された冷却器と、上記冷却室内で上記冷却器の冷媒入口側領域側、冷媒出口側領域側にそれぞれ設置された第一冷却ファン、第二冷却ファンと、上記仕切体における上記冷却器に対向する位置に設けられた吸込口と、上記仕切体における上記第一冷却ファン、上記第二冷却ファンにそれぞれ対向する位置に設けられた吹出口と、を備えてなる冷凍庫において、庫内温度が冷凍保存温度に所定温度を加えた温度に至ったら、急速凍結モードに移行し、庫内温度が急速凍結設定温度に至ったら、冷凍保存モードに移行し、上記急速凍結モードでは、上記冷却器の冷媒出口側領域側に設置された第二冷却ファンの回転数を強にすると共に、上記冷却器の冷媒入口側領域側に設置された第一冷却ファンの回転数を弱にして運転し、上記冷凍保存モードでは、上記第一冷却ファンおよび上記第二冷却ファンの回転数を弱にして運転することを特徴とするものである。
【００１０】
請求項２記載の発明は、上記構成において、上記庫内のうち、冷却室における冷却器の冷媒入口側領域側に対応する庫内部分と冷媒出口側領域側に対応する庫内部分とのそれぞれに、庫内温度を検出する温度検出器が設置され、庫内温度が冷凍保存温度に所定温度を加えた温度より高く、かつ各庫内部分の温度差が予め設定した温度よりも低い場合に、上記冷却器の冷媒出口側領域側に設置された第二冷却ファンの回転数を強にすると共に、上記冷却器の冷媒入口側領域側に設置された第一冷却ファンの回転数を弱にして運転する運転モードを更に備えたことを特徴とするものである。
【００１１】
請求項３記載の発明は、上記構成において、上記庫内のうち、冷却室における冷却器の冷媒入口側領域側に対応する庫内部分と冷媒出口側領域側に対応する庫内部分とのそれぞれに、庫内温度を検出する温度検出器が設置され、庫内温度が冷凍保存温度に所定温度を加えた温度より高く、各庫内部分の温度差が予め設定した温度よりも高い場合に、温度が高い庫内部分に対応する冷却ファンの回転数を強にすると共に、温度が低い庫内部分に対応する冷却ファンの回転数を弱にして運転する運転モードを更に備えたことを特徴とするものである。
【００１２】
上記発明には、次の作用がある。
【００１３】
冷却器では、一般に、冷媒入口側領域にて冷却される空気が、冷媒出口側領域にて冷却される空気よりも低温となる。そこで、冷却室内で上記冷却器の冷媒出口側領域側に設置された第二冷却ファンの回転数を、上記冷却室内で上記冷却器の冷媒入口側領域側に設置された第一冷却ファンの回転数よりも高く設定して、冷却器の冷媒入口側領域で冷却されたより低温の空気を、冷却室における冷却器の冷媒出口側領域側に引き込み、庫内へ吹出させることにより、庫内を均一温度に冷却することができる。
【００１５】
庫内のうち、冷却室における冷却器の冷媒入口側領域側に対応する庫内部分と冷媒出口側領域側に対応する庫内部分とで負荷が異なる場合に、負荷の大きな庫内部分に対応する第一冷却ファン又は第二冷却ファンの回転数が、負荷の小さな庫内部分に対応する第二冷却ファン又は第一冷却ファンの回転数よりも高く設定可能に構成されたことから、冷却器にて冷却された空気を負荷の大きな庫内部分へ大量に供給できるので、庫内における負荷の相違を迅速に解消できる。
【００１７】
庫内のうち、冷却室における冷却器の冷媒入口側領域側に対応する庫内部分と冷媒出口側領域側に対応する庫内部分とのそれぞれに、庫内温度を検出する温度検出器が設置されたことから、これらの温度検出器により庫内の温度の相違を検出でき、庫内のうち負荷の大きな庫内部分を的確に判定できる。
【００１８】
【発明の実施の形態】
以下、本発明の実施の形態を図面に基づいて説明する。
【００１９】
図１は、本発明に係る冷凍庫の一実施の形態が適用された急速凍結庫を示す斜視図である。図２は、図１の急速凍結庫を示す正断面図である。
これらの図１及び図２に示す冷凍庫としての急速凍結庫１０は、庫内に収納された保存物を急速に凍結するものであり、断熱箱体１１が庫内１２を形成する。この断熱箱体１１は、前面に開口部を有し、この開口部が断熱上扉１３及び断熱下扉１４により開放又は閉塞される。
【００２０】
上記庫内１２には、断熱箱体１１の一内側壁１５に対し一定間隔を隔てて、仕切体としての仕切板１６が配設される。この仕切板１６と上記一内側壁１５との間に冷却室１７が形成される。
【００２１】
この冷却室１７内には、断熱箱体１１の鉛直方向中央位置に冷却器１８が配置され、この冷却器１８の上方に第一冷却ファンとしての庫内上ファン１９が、下方に第二冷却ファンとしての庫内下ファン２０がそれぞれ設置される。図４に示すように、冷却器１８の熱交換チューブ２１には、入口パイプ２２Ａを経て上方から下方へ向かって冷媒が流れ、この冷媒は、出口パイプ２２Ｂを経て流出する。従って、庫内上ファン１９は、冷却室１７内において、冷却器１８の冷媒入口側領域１８Ａ側に設置され、また、庫内下ファン２０は、冷却室１７内において、冷却器１８の冷媒出口側領域１８Ｂ側に設置されていることになる。
【００２２】
図１及び図２に示すように、上記冷却器１８と共に冷凍サイクルを構成する圧縮機３０、凝縮器３１などが断熱箱体１１の天面部に設置される。圧縮機３０からの冷媒が凝縮器３１及び膨張機構(不図示)を経て冷却器１８へ至り、圧縮機３０へ戻ることにより、冷却器１８が庫内１２内の空気を冷却する。
【００２３】
上記仕切板１６には、冷却器１８に対向する位置に複数の吸込口２３が形成されると共に、庫内上ファン１９、庫内下ファン２０にそれぞれ対向する位置に上吹出口２４、下吹出口２５が形成される。これらの上吹出口２４、下吹出口２５は、ファンガード２６により覆われている。庫内１２内の空気（冷気）は、吸込口２３から冷却室１７内へ吸い込まれ、冷却器１８にて冷却された後、庫内上ファン１９及び庫内下ファン２０の作用で、上吹出口２４、下吹出口２５から庫内１２内へ吹き出され、強制循環される。
【００２４】
この庫内１２内には、複数段の網棚２７が水平状態で配置される。図３に示す保存物としての蓄冷剤２８がバスケット２９に収容されて、網棚２７に載置される。或いは、図示しない食品が直接網棚２７に載置される。これらの庫内１２に収容された蓄冷剤２８又は食品は、冷却器１８にて冷却されるとともに庫内１２へ吹き出された空気により凍結される。
【００２５】
図２に示すように、上記庫内１２のうち、冷却室１７における冷却器１８の冷媒入口側領域１８Ａ側に対応する庫内上部分３２と、冷媒出口側領域１８Ｂ側に対応する庫内下部分３３とのそれぞれに、庫内温度を検出する上温度センサ３４、下温度センサ３５が設置される。これらの上温度センサ３４及び下温度センサ３５による検出温度は、制御装置３６へ送信される。
【００２６】
この制御装置３６は、上温度センサ３４及び下温度センサ３５にて検出された検出温度に基づき、圧縮機３０の稼働と停止、庫内上ファン１９及び庫内下ファン２０の駆動と停止をそれぞれ制御して、急速凍結モードと冷凍保存モードを実施する。
【００２７】
つまり、制御装置３６は、図５に示すように、運転開始から急速凍結設定温度Ｔ２に至るまでのＡ区間において、急速凍結モードを実施し、その後のＢ区間では冷凍保存モードを実施して、庫内１２温度を冷凍保存設定温度Ｔ１にほぼ一致させる。
【００２８】
制御装置３６は、断熱上扉１３又は断熱下扉１４の開操作や、解凍状態の蓄冷剤２８を庫内１２へ搬入するなどによって、庫内１２内の負荷が増大し、庫内１２の温度が(冷凍保存設定温度Ｔ１＋１０℃)以上となったＣ区間で、急速凍結モードを再び実施する。その後、庫内１２が急速凍結設定温度Ｔ２に達した後のＤ区間において、制御装置３６は冷凍保存モードを実施し、庫内１２温度をほぼ冷凍保存設定温度Ｔ１に保持する。
【００２９】
制御装置３６（図２）は、上記急速凍結モードにおいて、通常、庫内下ファン２０の回転数を庫内上ファン１９の回転数よりも高く設定して、庫内下ファン２０から吹き出される空気の風速を強とし、庫内上ファン１９から吹き出される空気の風速を弱とする。その理由は次の通りである。
即ち、図３において前述した如く、冷却器１８の熱交換チューブ２１には、入口パイプ２２Ａを経て上方から下方へ向かって冷媒が流れるので、この冷却器１８では、冷媒入口側領域１８Ａにて冷却される空気は、冷媒出口側領域１８Ｂにて冷却される空気よりも低温となる。このため、冷却室１７内において冷媒出口側領域１８Ｂ側に配置された庫内下ファン２０の回転数を、冷却室１７内において冷媒入口側領域１８Ａ側に配置された庫内上ファン１９の回転数よりも高く設定して、冷媒入口側領域１８Ａにて冷却されたより低温の空気を冷却室１７内における冷媒出口側領域１８Ｂ側へ引き込むことにより、庫内下部分３３を低温化して、庫内１２内をほぼ均一温度に冷却させることができるからである。
【００３０】
また、制御装置３６（図２）は、上温度センサ３４又は下温度センサ３５からの検出温度が一定値（例えば５℃）以上の差がある時に、庫内上部分３２と庫内下部分３３のいずれか一方の負荷が増大したと判断し、検出温度が高くて負荷が増大したと判断した庫内上部分３２或いは庫内下部分３３側に対応する庫内上ファン１９或いは庫内下ファン２０の回転数を、検出温度が低くて負荷が小さいと判断した庫内下部分３３或いは庫内上部分３２側に対応する庫内下ファン２０或いは庫内上ファン１９の回転数よりも高く設定する。これにより、負荷が増大した庫内上部分３２或いは庫内下部分３３側に対応する庫内上ファン１９或いは庫内下ファン２０から吹き出される空気の風速が強となり、負荷の小さな庫内下部分３３或いは庫内上部分３２側に対応する庫内下ファン２０或いは庫内上ファン１９から吹き出される空気の風速が弱となって、負荷が増大した庫内上部分３２或いは庫内下部分３３へ、冷却器１８にて冷却された空気を大量に供給できる。
【００３１】
次に、上述の制御装置３６による庫内上ファン１９及び庫内下ファン２０の制御を、図６を用いて説明する。
【００３２】
制御装置３６は、急速凍結庫１０の運転を開始した後、上温度センサ３４及び下温度センサ３５による検出温度が(冷凍保存設定温度Ｔ１＋１０℃)以上であるか否かを判定し（Ｓ１）、以上である場合に、これらの検出温度差が５℃以上であるか否かを判定する（Ｓ２）。
【００３３】
このステップＳ２において上温度センサ３４及び下温度センサ３５による検出温度差が５℃以下の時に、または、ステップＳ１において上温度センサ３４及び下温度センサ３５による検出温度が(冷凍保存設定温度Ｔ１＋１０℃)以下の時に、制御装置３６は、これらの検出温度が急速凍結設定温度Ｔ２以下であるか否かを判定する（Ｓ３）。
【００３４】
制御装置３６は、ステップＳ３において、上温度センサ３４及び下温度センサ３５による検出温度が急速凍結設定温度Ｔ２以上の時に、庫内上ファン１９を低速回転させて、この庫内上ファン１９からの吹出空気の風速を弱とし、庫内下ファン２０を高速回転させて、この庫内下ファン２０からの吹出空気の風速を強として、急速凍結モードを実施する（Ｓ４）。
【００３５】
ステップＳ３において、上温度センサ３４及び下温度センサ３５による検出温度が急速凍結設定温度Ｔ２以下の時には、制御装置３６は、庫内上ファン１９及び庫内下ファン２０を共に低速回転させて、これらの庫内上ファン１９及び庫内下ファン２０からの吹出空気の風速を共に弱として、冷凍保存モードを実施する（Ｓ５）。この冷凍保存モードの実施中に、制御装置３６は、上温度センサ３４及び下温度センサ３５による検出温度が(冷凍保存設定温度Ｔ１＋１０℃)以上となったか否かを判定し（Ｓ６）、以上となった時に、ステップＳ３を経て急速凍結モードを実施する（Ｓ４）。
【００３６】
制御装置３６は、ステップＳ２において、上温度センサ３４と下温度センサ３５とによる検出温度差が５℃以上の場合に、上温度センサ３４による検出温度が(下温度センサ３５による検出温度＋５℃)以上であるか否かを判定する（Ｓ７）。上温度センサ３４による検出温度が、(下温度センサ３５による検出温度＋５℃)以上である場合には、上温度センサ３４の配設された庫内上部分３２が、下温度センサ３５の配設された庫内下部分３３よりも負荷が大きいので、制御装置３６は、この負荷の大きな庫内上部分３２に対応する庫内上ファン１９を高速回転として、この庫内上ファン１９からの吹出空気の風速を強とし、負荷の小さな庫内下部分３３に対応する庫内下ファン２０を低速回転として、この庫内下ファン２０からの吹出空気の風速を弱として、急速凍結モードを実施する（Ｓ８）。
【００３７】
また、制御装置３６は、ステップＳ７において、上温度センサ３４による検出温度が、(下温度センサ３５による検出温度＋５℃)以下であるとき、つまり、この場合には、下温度センサ３５による検出温度が(上温度センサ３４による検出温度＋５℃)以上である時に、下温度センサ３５の配設された庫内下部分３３が、上温度センサ３４の配設された庫内上部分３２よりも負荷が大きいので、制御装置３６は、この負荷が大きな庫内下部分３３に対応する庫内下ファン２０を高速回転として、この庫内下ファン２０からの吹出空気の風速を強とし、負荷が小さな庫内上部分３２に対応する庫内上ファン１９を低速回転として、この庫内上ファン１９からの吹出空気の風速を弱とし、急速凍結モードを実施する（Ｓ４）。
【００３８】
従って、上記実施の形態によれば、次の効果▲１▼〜▲３▼を奏する。
【００３９】
▲１▼冷却器１８では、一般に、冷媒入口側領域１８Ａにて冷却される空気が、冷媒出口側領域１８Ｂにて冷却される空気よりも低温となる。そこで、本実施の形態では、冷却室１７内で冷却器１８の冷媒出口側領域１８Ｂ側に設置された庫内下ファン２０の回転数を、冷却室１７内で冷却器１８の冷媒入口側領域１８Ａ側に設置された庫内上ファン１９の回転数よりも高く設定して、冷却器１８の冷媒入口側領域１８Ａで冷却されたより低温の空気を、冷却室１７における冷却器１８の冷媒出口側領域１８Ｂ側に引き込み、庫内下部分３３へ吹き出させることにより、庫内１２を略均一温度に冷却することができる。
【００４０】
▲２▼庫内１２のうち、冷却室１７における冷却器１８の冷媒入口側領域１８Ａ側に対応する庫内上部分３２と冷媒出口側領域１８Ｂ側に対応する庫内下部分３３とで負荷が異なる場合に、負荷の大きな庫内上部分３２または庫内下部分３３にそれぞれ対応する庫内上ファン１９または庫内下ファン２０の回転数が、負荷の小さな庫内下部分３３または庫内上部分３２にそれぞれ対応する庫内下ファン２０又は庫内上ファン１９の回転数よりも高く設定可能に構成されたことから、冷却器１８にて冷却された空気を、負荷の大きな庫内上部分３２または庫内下部分３３へ大量に供給できるので、庫内１２における負荷の相違を早期に解消できる。この結果、庫内上部分３２又は庫内下部分３３のいずれか一方に、解凍状態の蓄冷剤２８が収納された時に、この解凍状態の蓄冷剤を迅速に凍結させることができる。
【００４１】
▲３▼庫内１２のうち、冷却室１７における冷却器１８の冷媒入口側領域１８Ａ側に対応する庫内上部分３２と冷媒出口側領域１８Ｂ側に対応する庫内下部分３３とのそれぞれに、庫内温度を検出する上温度センサ３４、下温度センサ３５が設置されたことから、これらの上温度センサ３４、下温度センサ３５により庫内１２の温度の相違を検出でき、庫内１２のうち負荷の大きな庫内上部分３２又は庫内下部分３３を的確に判定できる。
【００４２】
以上、一実施の形態に基づいて本発明を説明したが、本発明はこれに限定されるものではない。
【００４３】
例えば、庫内１２に上温度センサ３４及び下温度センサ３５を設置せず、図２の破線に示すように、庫内１２の鉛直方向中央位置に１個の温度センサ３７を設置し、図６のステップＳ２及びＳ７を削除してステップＳ１、Ｓ３〜Ｓ６を実施させてもよい。そして、この場合には、制御装置３６に、庫内上ファン１９と庫内下ファン２０の回転数を切り換える切換スイッチを設け、庫内１２のうち、解凍状態の蓄冷剤２８を搬入するなどして負荷を大きくした庫内上部分３２または庫内下部分３３に対応する庫内上ファン１９又は庫内下ファン２０を、上記切換えスイッチの手動操作により高速回転に設定して、これらの庫内上ファン１９又は庫内下ファン２０からの吹出空気の風速を強としてもよい。
【００４４】
また、上記実施の形態の急速凍結庫１０では、冷却器１８の冷媒入口側領域１８Ａが上に、冷媒出口側領域１８Ｂが下に配置された縦型の急速凍結庫１０の場合を述べたが、冷却器１８の冷媒入口側領域１８Ａと冷媒出口側領域１８Ｂとが左右に配置された横型の急速凍結庫１０の場合にも本発明を適用できる。
【００４５】
【発明の効果】
以上のように、本発明の冷凍庫によれば、急速凍結モードでは、冷却室内で冷却器の冷媒出口側領域側に設置された第二冷却ファンの回転数が、冷却室内で冷却器の冷媒入口側領域側に設置された第一冷却ファンの回転数よりも高く設定されたことから、冷却器の冷媒入口側で冷却されたより低温の空気を、冷却室における冷却器の冷媒出口側領域側に吹き込むことにより、庫内を均一温度に冷却することができる。
【００４６】
また、本発明の冷凍庫によれば、庫内のうち、冷却室における冷却器の冷媒入口側領域側に対応する庫内部分と冷媒出口側領域側に対応する庫内部分とで負荷が異なる場合に、負荷の大きな庫内部分に対応する第一冷却ファン又は第二冷却ファンの回転数が、負荷の小さな庫内部分に対応する第二冷却ファン又は第一冷却ファンの回転数よりも高く設定される運転モードを備えたことから、冷却器にて冷却された空気を負荷の大きな庫内部分へ大量に供給できるので、庫内における負荷の相違を迅速に解消できる。
【図面の簡単な説明】
【図１】本発明に係る冷凍庫の一実施の形態が適用された急速凍結庫を示す斜視図である。
【図２】図１の急速凍結庫を示す正断面図である。
【図３】図２の急速凍結庫に蓄冷剤を配置した正断面図である。
【図４】図１の冷却器の熱交換チューブを示す斜視図である。
【図５】図１の急速凍結庫における庫内温度の変化を示すグラフである。
【図６】図１の急速凍結庫における庫内上ファン及び庫内下ファンの制御を示すフローチャートである。
【図７】従来の急速凍結庫における庫内上ファン及び庫内下ファンの制御を示すフローチャートである。
【符号の説明】
１０  急速凍結庫（冷凍庫）
１１  断熱箱体
１２  庫内
１６  仕切板（仕切体）
１７  冷却室
１８  冷却器
１８Ａ  冷媒入口側領域
１８Ｂ  冷媒出口側領域
１９  庫内上ファン（第一冷却ファン）
２０  庫内下ファン（第二冷却ファン）
２３  吸込口
２４  上吹出口
２５  下吹出口
３２  庫内上部分
３３  庫内下部分
３４  上温度センサ（温度検出器）
３５  下温度センサ（温度検出器）
３６  制御装置
【図１】
0004121197.tif 000002
【図２】
0004121197.tif 000003
【図３】
0004121197.tif 000004
【図４】
0004121197.tif 000005
【図５】
0004121197.tif 000006
【図６】
0004121197.tif 000007
【図７】
0004121197.tif 000008